(57)【要約】  ソフトウェアイネーブルアクセスポイント（ソフトＡＰ）を通した複数の加入者の取り扱いのための方法および装置が記述されている。１つの例示的な方法は一般的に、各ワイヤレスローカルエリアネットワーク（ＷＬＡＮ）クライアントが複数の加入者グループのうちの１つに属している、１つ以上のＷＬＡＮクライアントに対して、少なくとも１つのワイヤレスワイドエリアネットワーク（ＷＷＡＮ）接続を確立することと、複数の加入者グループの各加入者グループに対する各ＷＷＡＮ接続の使用を監視することとを含んでいる。【選択図】  図４
2015511785.tif 000002
【特許請求の範囲】
【請求項１】
ワイヤレス通信のための方法において、
各ワイヤレスローカルエリアネットワーク（ＷＬＡＮ）クライアントが複数の加入者グループのうちの１つに属している、１つ以上のＷＬＡＮクライアントに対して、少なくとも１つのワイヤレスワイドエリアネットワーク（ＷＷＡＮ）接続を確立することと、
前記複数の加入者グループの各加入者グループに対する各ＷＷＡＮ接続の使用を監視することとを含む方法。
【請求項２】
前記監視することは、前記複数の加入者グループの各加入者グループに対する各ＷＷＡＮ接続の使用を区分することを含む請求項１記載の方法。
【請求項３】
前記区分することは、異なる事前共有鍵を各加入者グループに割り当てることを含む請求項２記載の方法。
【請求項４】
前記区分することは、異なるサービスセット識別子（ＳＳＩＤ）を各加入者グループに割り当てることを含む請求項２記載の方法。
【請求項５】
前記確立することは、各ＷＷＡＮ接続を確立するときに、各加入者グループに対して異なるアクセスポイントネーム（ＡＰＮ）を使用することを含む請求項１記載の方法。
【請求項６】
前記確立することは、各加入者グループに対するパケットデータネットワーク（ＰＤＮ）レベル認証の間、異なる認証パラメータを使用することを含む請求項１記載の方法。
【請求項７】
前記確立することは、各加入者グループに対する異なる区分サービスコードポイント（ＤＳＣＰ）マーキングにより、インターネットプロトコル（ＩＰ）パケットをマーキングすることを含む請求項１記載の方法。
【請求項８】
前記各加入者グループに対する異なるＤＳＣＰマーキングは、ネットワークにより事前にアレンジされている請求項７記載の方法。
【請求項９】
前記確立することは、各加入者グループからのトラフィックを異なる専用ベアラにマッピングすることを含む請求項１記載の方法。
【請求項１０】
前記異なる専用ベアラにマッピングすることは、ネットワークにより事前にアレンジされている請求項９記載の方法。
【請求項１１】
ワイヤレス通信のための装置において、
各ワイヤレスローカルエリアネットワーク（ＷＬＡＮ）クライアントが複数の加入者グループのうちの１つに属している、１つ以上のＷＬＡＮクライアントに対して、少なくとも１つのワイヤレスワイドエリアネットワーク（ＷＷＡＮ）接続を確立する手段と、
前記複数の加入者グループの各加入者グループに対する各ＷＷＡＮ接続の使用を監視する手段とを具備する装置。
【請求項１２】
前記監視する手段は、前記複数の加入者グループの各加入者グループに対する各ＷＷＡＮ接続の使用を区分する手段を備える請求項１１記載の装置。
【請求項１３】
前記区分する手段は、異なる事前共有鍵を各加入者グループに割り当てる手段を含む請求項１２記載の装置。
【請求項１４】
前記区分する手段は、異なるサービスセット識別子（ＳＳＩＤ）を各加入者グループに割り当てる手段を含む請求項１２記載の装置。
【請求項１５】
前記確立する手段は、各ＷＷＡＮ接続を確立するときに、各加入者グループに対して異なるアクセスポイントネーム（ＡＰＮ）を使用する手段を備える請求項１１記載の装置。
【請求項１６】
前記確立する手段は、各加入者グループに対するパケットデータネットワーク（ＰＤＮ）レベル認証の間、異なる認証パラメータを使用する手段を備える請求項１１記載の装置。
【請求項１７】
前記確立する手段は、各加入者グループに対する異なる区分サービスコードポイント（ＤＳＣＰ）マーキングにより、インターネットプロトコル（ＩＰ）パケットをマーキングする手段を備える請求項１１記載の装置。
【請求項１８】
前記各加入者グループに対する異なるＤＳＣＰマーキングは、ネットワークにより事前にアレンジされている請求項１７記載の装置。
【請求項１９】
前記確立する手段は、各加入者グループからのトラフィックを異なる専用ベアラにマッピングする手段を備える請求項１１記載の装置。
【請求項２０】
前記異なる専用ベアラにマッピングする手段は、ネットワークにより事前にアレンジされている請求項１９記載の装置。
【請求項２１】
ワイヤレス通信のための装置において、
各ワイヤレスローカルエリアネットワーク（ＷＬＡＮ）クライアントが複数の加入者グループのうちの１つに属している、１つ以上のＷＬＡＮクライアントに対して、少なくとも１つのワイヤレスワイドエリアネットワーク（ＷＷＡＮ）接続を確立するようにと、
前記複数の加入者グループの各加入者グループに対する各ＷＷＡＮ接続の使用を監視するように構成されている少なくとも１つのプロセッサと、
前記少なくとも１つのプロセッサに結合されているメモリとを具備する装置。
【請求項２２】
その上に記憶されている命令を有する非一時的コンピュータ読み取り可能媒体を具備する、ワイヤレス通信のためのコンピュータプログラムプロダクトにおいて、
前記命令は、１つ以上のプロセッサにより実行可能であり、
前記命令は、
各ワイヤレスローカルエリアネットワーク（ＷＬＡＮ）クライアントが複数の加入者グループのうちの１つに属している、１つ以上のＷＬＡＮクライアントに対して、少なくとも１つのワイヤレスワイドエリアネットワーク（ＷＷＡＮ）接続を確立するための命令と、
前記複数の加入者グループの各加入者グループに対する各ＷＷＡＮ接続の使用を監視するための命令とを含むコンピュータプログラムプロダクト。
【発明の詳細な説明】
【米国特許法第１１９条の下での優先権の主張】
【０００１】
本特許出願は、その全体が参照によってここに組み込まれている、“ソフトウェアイネーブルアクセスポイントを通した複数の加入者の取り扱い”というタイトルの、２０１２年２月２７日に出願された、米国仮出願番号第６１／６０３、７３２号に対して優先権を主張する。
【背景】
【０００２】
Ｉ．分野
本開示は一般的にワイヤレス通信に関連しており、さらに詳細には、ソフトウェアイネーブルアクセスポイント（ソフトＡＰ）のような単一のエンティティを通してネットワークにアクセスする異なる加入者のグループを識別する技術に関連している。
【０００３】
ＩＩ．背景
ワイヤレス通信システムは、音声、データなどのような、さまざまなタイプの通信コンテンツを提供するために、幅広く展開されている。これらのシステムは、利用可能なシステムリソース（例えば、帯域幅、送信電力）を共有することにより、複数のユーザとの通信をサポートすることが可能である多元接続システムであるかもしれない。このような多元接続システムの例には、コード分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）ロングタームエボリューション（ＬＴＥ）システム、直交周波数分割多元接続（ＯＦＤＭＡ）システムが含まれる。
【０００４】
一般的に、ワイヤレス多元接続通信システムは、複数のワイヤレス端末に対する通信を同時にサポートすることができる。各端末は、フォワードリンクおよびリバースリンク上での送信を通して、１つ以上の基地局と通信する。フォワードリンク（または、ダウンリンク）は、基地局から端末への通信リンクのことを指し、リバースリンク（または、アップリンク）は、端末から基地局への通信リンクのことを指す。この通信リンクは、単一入力単一出力システム、複数入力単一出力システム、または複数入力複数出力（ＭＩＭＯ）システムを通して確立されるかもしれない。
【０００５】
ワイヤレス端末の１つの使用は、パケットデータネットワーク（ＰＤＮ）を通して運ばれるデータを送信および受信することである。一般的に、アクセスポイントネーム（ＡＰＮ）は、モバイルデータユーザが通信するＰＤＮを識別するために使用される。ＰＤＮを識別することに加えて、ＡＰＮはサービスのタイプを規定するためにも使用されるかもしれない。このような接続ベースのサービスの例には、ワイヤレスアプリケーションプロトコル（ＷＡＰ）サーバへの接続や、マルチメディアメッセージングサービス（ＭＭＳ）や、または、特定のＰＤＮにより提供されるインターネットプロトコル（ＩＰ）マルチメディアサブシステム（ＩＭＳ）サービス（例えば、ＩＰ（ＶｏＩＰ）を介した音声、ビデオ電話、またはテキストメッセージング）が含まれる。ＡＰＮは、例えば汎用パケット無線サービス（ＧＰＲＳ）や進化型パケットコア（ＥＰＣ）のような、３ＧＰＰデータアクセスネットワークにおいて使用される。
【０００６】
いくつかのケースにおいて、“マルチモード”ワイヤレスデバイスは、ワイヤレスワイドエリアネットワーク（ＷＷＡＮ）およびワイヤレスローカルエリアネットワーク（ＷＬＡＮ）のような、異なる無線アクセスネットワーク（ＲＡＮ）を通して通信することができるかもしれない。このような能力により、デバイスは、ＷＷＡＮを介してインターネットに接続して、ＷＬＡＮを通して他のワイヤレスデバイスとインターネット接続を共有することができるかもしれない。このケースにおいて、デバイスは、そのデバイスがアクセスポイントとして機能して、そのデバイスのＷＷＡＮインターネット接続を共有するＷＬＡＮクライアントを取り扱うことを可能にするソフトウェアを有しているかもしれない。この理由のために、これらの能力を有するワイヤレスデバイスは、一般的にソフトウェアイネーブルアクセスポイント（または簡単に、“ソフトＡＰ”）と呼ばれ、このようなデバイスはモバイル“ホットスポット”を提供するのに使用されることが多い。
【概要】
【０００７】
本開示のある態様は、ワイヤレス通信のための方法を提供する。方法は一般的に、各ワイヤレスローカルエリアネットワーク（ＷＬＡＮ）クライアントが複数の加入者グループのうちの１つに属している、１つ以上のＷＬＡＮクライアントに対して、少なくとも１つのワイヤレスワイドエリアネットワーク（ＷＷＡＮ）接続を確立することと、複数の加入者グループの各加入者グループに対する各ＷＷＡＮ接続の使用を監視することとを含んでいる。
【０００８】
ある態様は、ワイヤレス通信のための装置を提供する。装置は一般的に、各ＷＬＡＮクライアントが複数の加入者グループのうちの１つに属している、１つ以上のＷＬＡＮクライアントに対して、少なくとも１つのＷＷＡＮ接続を確立する手段と、複数の加入者グループの各加入者グループに対する各ＷＷＡＮ接続の使用を監視する手段とを具備している。
【０００９】
ある態様は、ワイヤレス通信のための装置を提供する。装置は一般的に、少なくとも１つのプロセッサと、少なくとも１つのプロセッサに結合されているメモリとを具備している。少なくとも１つのプロセッサは一般的に、各ＷＬＡＮクライアントが複数の加入者グループのうちの１つに属している、１つ以上のＷＬＡＮクライアントに対して、少なくとも１つのＷＷＡＮ接続を確立するようにと、複数の加入者グループの各加入者グループに対する各ＷＷＡＮ接続の使用を監視するように構成されている。
【００１０】
ある態様は、その上に記憶されている命令を有するコンピュータ読み取り可能媒体を具備する、ワイヤレス通信のためのコンピュータプログラムプロダクトを提供し、命令は、１つ以上のプロセッサにより実行可能である。命令は一般的に、各ＷＬＡＮクライアントが複数の加入者グループのうちの１つに属している、１つ以上のＷＬＡＮクライアントに対して、少なくとも１つのＷＷＡＮ接続を確立するための命令と、複数の加入者グループの各加入者グループに対する各ＷＷＡＮ接続の使用を監視するための命令とを含んでいる。
【図面の簡単な説明】
【００１１】
【図１】図１は、本開示の態様が実施される、ワイヤレス通信ネットワークを図示している。
【図２】図２は、本開示の態様にしたがった、ユーザ機器（ＵＥ）および他のネットワークエンティティのブロックダイヤグラムを図示している。
【図３】図３は、本開示のある態様にしたがった、例示的なソフトＡＰを図示している。
【図４】図４は、本開示のある態様にしたがった、ワイヤレス通信のための例示的な動作を図示している。
【図５】図５は、本開示のある態様にしたがった、複数のアクセスポイントネーム（ＡＰＮ）を使用することによって、異なる加入者グループに対するＷＷＡＮ接続を確立する例示的な動作を図示している。
【図６】図６は、本開示のある態様にしたがった、同一のＡＰＮに対して複数のパケットデータネットワーク（ＰＤＮ）接続を使用することによって、異なる加入者グループに対するＷＷＡＮ接続を確立する例示的な動作を図示している。
【図７】図７は、本開示のある態様にしたがった、ＩＰパケット中で使用される区分サービスコードポイント（ＤＳＣＰ）マーキングに基づいて、異なる加入者グループに対するＷＷＡＮ接続を確立する例示的な動作を図示している。
【図８】図８は、本開示のある態様にしたがった、異なるベアラに基づいて、異なる加入者グループに対するＷＷＡＮ接続を確立する例示的な動作を図示している。
【詳細な説明】
【００１２】
上述したように、ソフトＡＰは、ＷＬＡＮクライアントのグループにＷＷＡＮ接続を介した、インターネットへのアクセスを提供することができる。いくつかのケースにおいて、ネットワークオペレータは、さまざまな接続端末による使用情報に対して適切に課金するために、さまざまな接続端末の間で区分して、それらをグルーピングする能力を要求するかもしれない。
【００１３】
本開示の態様は、異なる加入者グループ間で識別および区分するこの能力を、ソフトＡＰがネットワークオペレータに提供することを可能にするかもしれない。結果として、ネットワークオペレータは、各加入者グループに、そのグループのすべてのデバイスの使用情報に対しての請求をする能力を得る。
【００１４】
図面を参照して、さまざまな実施形態をここで説明する。全体を通して、同一の参照番号は同一のエレメントを参照するのに使用する。以下の説明において、１つ以上の実施形態の完全な理解を提供するために、説明の目的で多数の具体的詳細を示す。しかしながら、このような実施形態はこれらの具体的詳細なしで実施することができることは明白であるかもしれない。他のインスタンスにおいては、１つ以上の実施形態の説明を容易にするために、ブロックダイヤグラムの形式で、よく知られている構造やデバイスを示す。
【００１５】
本開示で使用するような、“コンポーネント”、“モジュール”、“システム”、これらに類する用語は、ハードウェア、ファームウェア、ハードウェアとソフトウェアとを組み合わせたもの、ソフトウェア、または実行中のソフトウェアのような、コンピュータ関連エンティティのことを指すことを意図している。例えば、コンポーネントは、これらに限定されないが、プロセッサ上で実行しているプロセス、プロセッサ、オブジェクト、実行可能ファイル、実行のスレッド、プログラム、および／またはコンピュータでありうる。実例として、コンピューティングデバイス上で実行しているアプリケーションとコンピューティングデバイスとの両方がコンポーネントでありうる。１つ以上のコンポーネントは、実行のプロセスおよび／またはスレッド内に存在することができ、コンポーネントは、１つのコンピュータ上でローカライズすること、および／または２つ以上のコンピュータ間で分散することができる。さらに、これらのコンポーネントは、その上に記憶されているさまざまなデータ構造を有するさまざまなコンピュータ読み取り可能媒体から実行することができる。コンポーネントは、１つ以上のデータパケット（例えば、ローカルシステム中の別のコンポーネントと対話する１つのコンポーネントからのデータ、分散システム中の別のコンポーネントと対話する１つのコンポーネントからのデータ、および／または、インターネットのようなネットワークを通して、信号により、他のシステムと対話する１つのコンポーネントからのデータ）を有する信号にしたがうような、ローカルおよび／またはリモートプロセスによって通信することができる。
【００１６】
さらに、ワイヤレス端末および／または基地局に関連してさまざまな態様をここで記述する。ワイヤレス端末は、音声および／またはデータの接続性をユーザに提供するデバイスを指すことができる。ワイヤレス端末は、ラップトップコンピュータまたはデスクトップコンピュータのような、コンピューティングデバイスに接続することができる。すなわち、パーソナルデジタルアシスタント（ＰＤＡ）のような自立型装置でありうる。ワイヤレス端末は、システム、加入者ユニット、加入者局、移動局、移動体、遠隔局、アクセスポイント、遠隔端末、アクセス端末、ユーザ端末、ユーザエージェント、ユーザデバイス、またはユーザ機器（ＵＥ）とも呼ばれることがある。ワイヤレス端末は、加入者局、ワイヤレスデバイス、セルラ電話機、パーソナル通信サービス（ＰＣＳ）電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、または、ワイヤレスモデムに接続された他の処理デバイスでありうる。基地局（例えば、アクセスポイント、ノードＢ、または進化型ノードＢ（ｅＮＢ））は、エアインターフェースを介し、１つ以上のセクタを通してワイヤレス端末と通信する、アクセスネットワーク中のデバイスのことを指すことがある。基地局は、受信したエアインターフェースフレームをＩＰパケットに変換することによって、ワイヤレス端末と、インターネットプロトコル（ＩＰ）ネットワークを含むことができるアクセスネットワークの残りとの間のルータとして機能することができる。基地局はまた、エアインターフェースに対して、属性の管理を調整する。
【００１７】
さらに、ここで記述するさまざまな機能は、ハードウェアで、ソフトウェアで、ファームウェアで、または、これらの任意の組み合わせで実現することができる。ソフトウェアで実現する場合、機能を、コンピュータ読み取り可能媒体上の１つ以上の命令またはコードとして、記憶すること、または送信することができる。コンピュータ読み取り可能媒体は、コンピュータ記憶媒体と、１つの場所から他の場所へのコンピュータプログラムの転送を促進する何らかの媒体を含む通信媒体との両方を含んでいる。記憶媒体は、コンピュータによってアクセスできる何らかの利用可能な媒体でありうる。限定ではなく例として、このようなコンピュータ読み取り可能媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、コンピュータによってアクセスでき、命令またはデータ構造の形態で所望のプログラムコードを運ぶまたは記憶するのに使用することができる他の何らかの媒体を含むことができる。任意の接続もコンピュータ読み取り可能媒体と適切に呼ばれる。例えば、同軸ケーブルや、光ファイバケーブルや、撚り対や、デジタル加入者線（ＤＳＬ）や、あるいは、赤外線、無線、マイクロ波のような、ワイヤレス技術を使用して、ソフトウェアがウェブサイト、サーバ、または他の遠隔ソースから送信される場合には、同軸ケーブル、光ファイバケーブル、撚り対、ＤＳＬ、あるいは、赤外線、無線、およびマイクロ波のような、ワイヤレス技術は、媒体の定義に含まれる。ここで使用するようなディスク（ｄｉｓｋ）およびディスク（ｄｉｓｃ）は、コンパクトディスク（ＣＤ）、レーザディスク（登録商標）、光ディスク、デジタル汎用ディスク（ＤＶＤ）、フロッピー（登録商標）ディスク、およびブルーレイディスク（ＢＤ）を含むが、一般的に、ディスク（ｄｉｓｋ）は、データを磁気的に再生し、ディスク（ｄｉｓｃ）はデータをレーザによって光学的に再生する。先のものを組み合わせたものもまた、コンピュータ読み取り可能媒体の範囲内に含められるべきである。
【００１８】
ここで記述する技術は、ＣＤＭＡ、ＴＤＭＡ、ＦＤＭＡ、ＯＦＤＭＡ、ＳＣ−ＦＤＭＡ、および他のネットワークのような、さまざまなワイヤレス通信ネットワークに対して使用してもよい。用語“ネットワーク”および“システム”は、互換性があるように使用することが多い。ＣＤＭＡネットワークは、ユニバーサル地上無線アクセス（ＵＴＲＡ）、ｃｄｍａ２０００などのような無線機技術を実現してもよい。ＵＴＲＡは、ワイドバンドＣＤＭＡ（ＷＣＤＭＡ（登録商標））、時分割同期ＣＤＭＡ（ＴＤ−ＳＣＤＭＡ）、および、ＣＤＭＡの他の変形を含む。ｃｄｍａ２０００は、ＩＳ−２０００標準規格、ＩＳ−９５標準規格、およびＩＳ−８５６標準規格をカバーしている。ＴＤＭＡネットワークは、グローバルシステムフォーモバイルコミュニケーション（ＧＳＭ（登録商標））のような無線機技術を実現してもよい。ＯＦＤＭＡネットワークは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなどのような、無線機技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、周波数分割デュプレクス（ＦＤＤ）および時分割デュプレクス（ＴＤＤ）の両方で、Ｅ−ＵＴＲＡを使用するＵＭＴＳの新しいリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、ＬＴＥ−Ａ、およびＧＳＭは、“第三世代パートナーシッププロジェクト”（３ＧＰＰ）という名の機関による文書中に記述されている。ＣＤＭＡ２０００およびＵＭＢは、“第三世代パートナーシッププロジェクト２”（３ＧＰＰ２）という名の機関による文書中に記述されている。ここで記述している技術は、上述した、ワイヤレスネットワークおよび無線機技術とともに、他のワイヤレスネットワークおよび無線機技術に対して使用してもよい。明確にするために、技術のある態様は、以下ではＬＴＥに対して記述しており、以下の記述の多くにおいてＬＴＥ専門用語を使用している。記述は、異なる専門用語を用いる他の技術にも適用可能であることに着目すべきである。
【００１９】
さらに、用語“または”は、排他的な“または”というよりむしろ、包含的な“または”を意味するように意図されている。すなわち、そうでないことが明記されていない限り、または文脈から明らかでない限り、フレーズ“ＸがＡまたはＢを用いる”は、自然な包含的順列のうちのいずれかのものを意味するように意図している。すなわち、フレーズ“ＸがＡまたはＢを用いる”は、下記のインスタンス：ＸがＡを用いる；ＸがＢを用いる；または、ＸがＡとＢとの両方を用いる、のうちのいずれかにより満たされる。加えて、本出願および添付した特許請求の範囲中で使用されている、冠詞“ａ”および“ａｎ”は、そうでないことが明記されていない限り、または、単数形を示していることが文脈から明らかでない限り、一般的に、“１つ以上”を意味すると解釈すべきである。
【００２０】
多くのデバイス、コンポーネント、モジュール、およびこれらに類するものを含むことができるシステムの観点から、さまざまな態様が提示されるだろう。さまざまなシステムは、追加的な、デバイス、コンポーネント、モジュールなどを含むことがあり、および／または、図面に関連して説明する、デバイス、コンポーネント、モジュールなどのすべてを含むわけではない場合があることを、理解し、正確に認識すべきである。これらのアプローチを組み合わせたものも使用できる。
【００２１】
図１は、本開示の態様を実施することができる例示的な環境を示している。以下でより詳細に説明するように、ユーザ機器（ＵＥ）または他のタイプのデバイスのような、１つ以上のデバイスは、ソフトＡＰとして機能することができ、進化型ユニバーサル地上無線アクセスネットワーク（Ｅ−ＵＴＲＡＮ）１２０および／または無線アクセスネットワーク（ＲＡＮ）１３０のような、ＷＷＡＮへのアクセスを１つ以上のＷＬＡＮクライアントに提供する。図１において示している例は２つのＷＷＡＮと通信することができるＵＥを図示しているが、ここにおける技術は、少なくとも１つのＷＷＡＮと通信することができる任意のタイプのデバイスに適用される。
【００２２】
Ｅ−ＵＴＲＡＮ１２０はＬＴＥをサポートしていてもよく、ユーザ機器１１０（ＵＥ）に対してワイヤレス通信をサポートすることができる多数の、進化型ノードＢ（ｅＮＢ）１２２および他のネットワークエンティティを含んでいてもよい。各ｅＮＢ１２２は特定の地理エリアに対する通信カバレッジを提供しているかもしれない。用語“セル”は、ｅＮＢのカバレッジエリア、および／または、そのカバレッジエリアを担当しているｅＮＢサブシステムのことを指すことがある。担当ゲートウェイ（Ｓ−ＧＷ）１２４は、Ｅ−ＵＴＲＡＮ１２０と通信することができ、パケットルーティングおよび転送や、モビリティアンカリングや、パケットバッファリングや、ネットワークトリガされるサービスの開始などのような、さまざまな機能を実行するかもしれない。移動性管理エンティティ（ＭＭＥ）１２６は、Ｅ−ＵＴＲＡＮ１２０および担当ゲートウェイ１２４と通信することができ、移動性管理や、ベアラ管理や、ページングメッセージの分配や、セキュリティ制御や、認証や、ゲートウェイ選択などのような、さまざまな機能を実行するかもしれない。ＬＴＥにおけるネットワークエンティティは、公に入手可能である、“進化型ユニバーサル地上無線アクセス（Ｅ−ＵＴＲＡ）および進化型ユニバーサル地上無線アクセスネットワーク（Ｅ−ＵＴＲＡＮ）；全体的な説明”というタイトルの３ＧＰＰ  ＴＳ  ３６．３００において説明されている。
【００２３】
無線アクセスネットワーク（ＲＡＮ）１３０はＧＳＭをサポートしていてもよく、ＵＥに対してワイヤレス通信をサポートすることができる多数の、基地局１３２および他のネットワークエンティティを含んでいてもよい。移動体スイッチングセンター（ＭＳＣ）１３４は、ＲＡＮ１３０と通信することができ、音声サービスをサポートしたり、回線交換通話に対するルーティングを提供したり、ＭＳＣ１３４により担当されているエリア内に位置しているＵＥに対する移動性管理を実行したりするかもしれない。オプション的に、インターワーキング機能（ＩＷＦ）１４０は、ＭＭＥ１２６とＭＳＣ１３４との間の（例えば、ｌｘＣＳＦＢに対する）通信を促進するかもしれない。
【００２４】
Ｅ−ＵＴＲＡＮ１２０、担当ゲートウェイ１２４、およびＭＭＥ１２６は、ＬＴＥネットワーク１０２の一部であってもよい。ＲＡＮ１３０およびＭＳＣ１３４は、ＧＳＭネットワーク１０４の一部であってもよい。簡潔にするために、図１はＬＴＥネットワーク１０２およびＧＳＭネットワーク１０４中の、いくつかのネットワークエンティティのみを示している。ＬＴＥネットワークおよびＧＳＭネットワークはまた、さまざまな機能およびサービスをサポートすることができる他のネットワークエンティティを含んでいてもよい。
【００２５】
一般的に、所定の地理エリアにおいて、任意の数のワイヤレスネットワークが配備されていてもよい。各ワイヤレスネットワークは、特定のＲＡＴをサポートしていてもよく、１つ以上の周波数上で動作するかもしれない。ＲＡＴは、無線機技術や、エアインターフェースなどとも呼ばれるかもしれない。周波数は、搬送波や、周波数チャネルなどとも呼ばれるかもしれない。異なるＲＡＴのワイヤレスネットワーク間の干渉を避けるために、所定の地理エリアにおいて、各周波数は単一のＲＡＴをサポートしているかもしれない。
【００２６】
ＵＥ１１０は、静的であっても、または移動性であってもよく、移動局、端末、アクセス端末、加入者ユニット、局などとも呼ばれるかもしれない。ＵＥ１１０は、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局などであってもよい。
【００２７】
図２は、図１中のＵＥ１１０、ｅＮＢ１２２、およびＭＭＥ１２６の設計のブロックダイヤグラムを示している。ＵＥ１１０において、エンコーダ２１２は、アップリンク上で送られるトラフィックデータおよびシグナリングメッセージを受け取るかもしれない。エンコーダ２１２は、トラフィックデータおよびシグナリングメッセージを処理（例えば、フォーマット、エンコード、およびインターリーブ）するかもしれない。変調器（Ｍｏｄ）２１４は、エンコードされた、トラフィックデータおよびシグナリングメッセージをさらに処理（例えば、シンボルマッピングおよび変調）して、出力サンプルを提供するかもしれない。送信機（ＴＭＴＲ）２２２は、出力サンプルを調整（例えば、アナログに変換、フィルタリング、増幅、および周波数アップコンバート）して、アップリンク信号を発生させるかもしれなく、アップリンク信号は、アンテナ２２４を通してｅＮＢ１２２に送信されるかもしれない。
【００２８】
ダウンリンク上で、アンテナ２２４は、ｅＮＢ１２２および／または他のｅＮＢ／基地局により送信されたダウンリンク信号を受信するかもしれない。受信機（ＲＣＶＲ）２２６は、アンテナ２２４からの受信信号を調整（例えば、フィルタリング、増幅、周波数ダウンコンバート、およびデジタル化）して、入力サンプルを提供するかもしれない。復調器（Ｄｅｍｏｄ）２１６は、入力サンプルを処理（例えば、復調）して、シンボル推定を提供するかもしれない。デコーダ２１８は、シンボル推定を処理（例えば、デインターリーブおよびデコード）して、デコードした、ＵＥ１１０に送られたデータおよびシグナリングメッセージを提供するかもしれない。エンコーダ２１２、変調器２１４、復調器２１６、およびデコーダ２１８は、モデムプロセッサ２１０によって実現されるかもしれない。ＵＥ１１０が通信中のワイヤレスネットワークにより使用されるＲＡＴ（例えば、ＬＴＥ、ＩｘＲＴＴなど）にしたがって、これらのユニットは処理を実行するかもしれない。
【００２９】
制御装置／プロセッサ２３０が、ＵＥ１１０における動作を指示するかもしれない。制御装置／プロセッサ２３０は、ここで説明する技術に関する他のプロセスも実行または指示してもよい。制御装置／プロセッサ２３０は、図３および４におけるＵＥ１１０による処理も実行または指示してもよい。メモリ２３２は、ＵＥ１１０に対する、プログラムコードおよびデータを記憶するかもしれない。メモリ２３２は、優先度リストおよびコンフィギュレーション情報も記憶してもよい。
【００３０】
ｅＮＢ１２２において、送信機／受信機２３８は、ＵＥ１１０および他のＵＥとの無線通信をサポートしているかもしれない。制御装置／プロセッサ２４０は、ＵＥとの通信に対するさまざまな機能を実行するかもしれない。アップリンク上では、ＵＥ１１０からのアップリンク信号が、アンテナ２３６を通して受信され、受信機２３８により調整され、制御装置／プロセッサ２４０によりさらに処理されて、ＵＥ１１０により送られたトラフィックデータおよびシグナリングメッセージが復元されるかもしれない。ダウンリンク上では、トラフィックデータおよびシグナリングメッセージが、制御装置／プロセッサ２４０により処理され、送信機２３８により調整されて、ダウンリンク信号が発生され、ダウンリンク信号は、アンテナ２３６を通してＵＥ１１０および他のＵＥに送信されるかもしれない。制御装置／プロセッサ２４０は、ここで説明する技術に関する他のプロセスも実行または指示してもよい。制御装置／プロセッサ２４０は、図３および４におけるｅＮＢ１２２による処理も実行または指示してもよい。メモリ２４２は、基地局に対する、プログラムコードおよびデータを記憶するかもしれない。通信（Ｃｏｍｍ）ユニット２４４は、ＭＭＥ１２６および／または他のネットワークエンティティとの通信をサポートするかもしれない。
【００３１】
ＭＭＥ１２６において、制御装置／プロセッサ２５０は、ＵＥに対する通信サービスをサポートするためのさまざまな機能を実行するかもしれない。制御装置／プロセッサ２５０は、図３および４におけるＭＭＥ１２６による処理も実行または指示してもよい。メモリ２５２は、ＭＭＥ１２６に対する、プログラムコードおよびデータを記憶するかもしれない。通信ユニット２５４は、他のネットワークエンティティとの通信をサポートしているかもしれない。
【００３２】
図２は、ＵＥ１１０、ｅＮＢ１２２、およびＭＭＥ１２６の簡略化した設計を示している。一般的に、各エンティティは任意の数の、送信機、受信機、プロセッサ、制御装置、メモリ、通信ユニットなどを含んでいてもよい。他のネットワークエンティティも、類似の方法で実現されるかもしれない。
【００３３】
図示しているように、ＵＥ１１０は、１つ以上のアンテナ２６４を通してＷＬＡＮと通信するための（一般的に、ＷＬＡＮ無線２６０と示している）回路も含んでいるかもしれない。ＷＬＡＮ無線２６０は、上述したＷＷＡＮを通して通信するための回路に類似する回路（例えば、ＷＬＡＮモデムプロセッサ、送信機、および受信機）を含んでいてもよい。上述したように、このことによって、ＵＥ１１０は、ソフトＡＰとして機能して、ＷＬＡＮ接続間でＷＷＡＮ接続を共有することが可能になるかもしれない。例えば、制御装置／プロセッサ２３０が、メモリ２３２中に記憶されている（ソフトＡＰ２６２として示されている）命令を実行して、以下でさらに詳細に説明するソフトＡＰ機能を実行してもよい。
【００３４】
ソフトウェアイネーブルアクセスポイントを通した複数の加入者の取り扱いの例示
上記で着目したように、本開示の態様によって、異なる加入者グループ間をＷＷＡＮネットワークオペレータが識別できる方法で、ソフトＡＰはＷＷＡＮバックホールを複数のＷＬＡＮクライアントと共有することが可能になるかもしれない。したがって、ネットワークの使用量に対して課金するために、ネットワークオペレータはさまざまな接続クライアントの間を区分して、それらをグループ化する能力を得るかもしれない。この能力は、多くの異なるシナリオでネットワークオペレータに有用であるかもしれない。
【００３５】
例として、ＷＷＡＮにより提供されるインターネット接続性は、アパートの中の異なる部屋によって、または、ホテルの中の部屋によって共有されるかもしれない。本開示のある態様は、ＷＬＡＮクライアントの第１のセット（例えば、加入者グループ１または単に“加入１”）から来るトラフィックを、ＷＬＡＮクライアントの第２のセット（例えば、加入者グループ２または単に“加入２”）から来るトラフィックと識別して、それらに別々に課金する能力を提供するかもしれない。
【００３６】
第２の例として、電車またはバスは、複数の通勤者にインターネット接続性を提供する単一のＷＷＡＮバックホールを有するかもしれない。複数の通勤者のトラフィック使用量を区分することは、特に課金の目的のために有用であるかもしれない。一般的に、ここで提供する技術は、モバイルホットスポット解決法がインターネット接続性のメインの手段を提供するのに使用される、より少ないワイヤーラインインフラストラクチャを有する任意のマーケットにおいて使用されるかもしれない。
【００３７】
図３は、ある態様に関して、どのようにソフトＡＰを使用して、異なるユーザ間でＷＷＡＮバックホールを共有することができるかを図示している。ワイヤレスワイドエリアネットワーク（ＷＷＡＮ）インターフェースおよびワイヤレスローカルエリアネットワーク（ＷＬＡＮ）インターフェースを有するソフトＡＰ３１０は、ＷＬＡＮ  ＡＰとして機能して、ＷＷＡＮネットワーク３３０への接続を、他のＷＬＡＮクライアント３２０ａ、３２０ｂ、および３２０ｃと共有することができる。
【００３８】
異なるクライアントの間で１つ以上の加入者グループが存在してもよく、この場合、ＷＷＡＮネットワークオペレータによって各加入者グループが別々に課金されることが望ましいかもしれない。各加入者グループは１人以上のユーザを有するかもしれなく、各グループ内のユーザはともに課金されるかもしれない。図３の比較的簡単な例では、２つの加入者グループが存在し、ユーザ１およびユーザ２が加入１中にあり、ユーザ３が加入２中にある。
【００３９】
本開示のある態様にしたがうと、ソフトＡＰ３１０は、異なる加入者グループからのトラフィックを区分できる方法で、ＷＷＡＮへの接続を確立して管理するように構成されているかもしれない。例えば、パケットデータネットワークゲートウェイ（ＰＧＷ）／高レートパケットデータ（ＨＲＰＤ）担当ゲートウェイ（ＨＳＧＷ）が、異なる加入からのトラフィックを区分してもよい。例として、異なる加入者グループからのトラフィックを区分することは、別々にトラフィックの課金をしたり、各加入からのトラフィックにキャップを強いるために使用されるかもしれない。
【００４０】
図４は、本開示のある態様にしたがった、異なる加入者グループからのトラフィックを区分する例示的な動作４００を図示している。動作４００は、例えば、ソフトＡＰとして機能する、図２中に示したＵＥ１１０のようなワイヤレスデバイスによって実行されるかもしれない。動作は、例えば、ＷＷＡＮモデムプロセッサ、制御装置／プロセッサ２３０、および／またはＷＬＡＮ無線２６０中のコンポーネント、のうちの１つ以上によって実行されるかもしれない。いくつかのケースにおいて、メモリ２３２中に記憶されているソフトＡＰ２６２に対する命令を実行する制御装置／プロセッサによって、動作は実行されるかもしれない。
【００４１】
４０２において、ソフトＡＰは、各ＷＬＡＮクライアントが複数の加入者グループのうちの１つに属しているかもしれない、１つ以上のＷＬＡＮクライアントに対して少なくとも１つのＷＷＡＮ接続を確立するかもしれない。４０４において、ソフトＡＰは、複数の加入者グループの各加入者グループに対する各ＷＷＡＮ接続の使用を監視するかもしれない。
【００４２】
ある態様によると、監視することは一般的に、ネットワークオペレータが課金の目的のために異なる加入者グループを識別および区分できる方法で、加入者グループのメンバーであるクライアントから発信されるトラフィックを検出することと、そのトラフィックを転送することとを含んでいる。
【００４３】
本開示は、異なる加入者グループの識別および区分を可能にする異なるメカニズムを提供する。これらの異なるメカニズムの例は、図５〜８を参照して以下で説明する。
【００４４】
ある態様にしたがうと、ＷＷＡＮ接続を確立することは一般的に、各ＷＷＡＮ接続を確立するときに各加入者グループに対して異なるアクセスポイントネーム（ＡＰＮ）を使用することを含んでいる。言い換えれば、インターネットプロトコル（ＩＰ）アドレスを取得するために使用される、パケットデータネットワーク（ＰＤＮ）接続要求／ベンダ特有ネットワーク制御プロトコル（ＶＳＮＣＰ）コンフィギュレーション要求中で使用されたＡＰＮに基づいて、異なる加入からのトラフィックは区分されるかもしれない。
【００４５】
図５は、パケットが到着するＡＰＮに基づいて、ネットワークオペレータが請求することを可能にするかもしれない、例示的なアプローチを図示している。このケースでは、複数のＡＰＮネームを使用することによって、ソフトＡＰ５１０は異なる加入者グループに対するＷＷＡＮ接続を確立する。
【００４６】
本開示のある態様にしたがうと、ネットワークは、加入ＸとＡＰＮ  Ｙとの間のマッピングを有していてもよい。ＡＰＮ  Ｙに割り当てられたＩＰアドレスからの（または、ＩＰアドレスへの）トラフィックをネットワーク３３０において受信するとき、加入Ｘは課金されるかもしれない。
【００４７】
異なる加入を有するユーザは、ユーザが接続に用いるサービスセット識別子（ＳＳＩＤ）に基づいて、（３１０における）ＷＬＡＮレベルにおいて識別されてもよい。ソフトＡＰは複数のＳＳＩＤをサポートしていてもよく、各加入には１つのＳＳＩＤが割り当てられるかもしれない。異なる加入を識別するための他のアプローチは、一意的な事前共有鍵を各加入に割り当てることを含んでいるかもしれない。異なる加入は、ＡＰに関係付けられるのに使用される事前共有鍵に基づいて、ＷＬＡＮレベルにおいて識別されるかもしれない。ＷＷＡＮモデム５２０は、異なるアプリケーションプロフィールを有しているかもしれず、ソフトＡＰは、加入と、使用されるプロフィールとの間のマッピングを有しているかもしれない。アプリケーションプロフィールは、異なるＡＰＮネームを含んでいてもよい。
【００４８】
加入Ｘに属しているユーザがソフトＡＰに関係付けられるとき、ソフトＡＰは、同一の加入を有する他のユーザが加わっているかをチェックするかもしれない。同一の加入を有する他のユーザが加わっていない場合、ソフトＡＰは、加入Ｘに対応するプロフィールを有する、ＰＤＮ接続要求を発生させるためのソケットコールを実行するかもしれない。
【００４９】
返された、ＩＰｖ４アドレスおよびＩＰｖ６プレフィックス／ＩＩＤは、記憶され、プロフィール／加入に関係付けられるかもしれない。返されたＩＰｖ４アドレスは、ネットワークアドレス変換（ＮＡＴ）によって、グローバルアドレスとして使用されるかもしれない。ユーザにはローカルＩＰアドレスが割り当てられるかもしれず、加入に関係付けられている、ポートおよび外部ＩＰアドレスに、このローカルＩＰアドレスをリンクさせるＮＡＴバインドが生成されるかもしれない。返されたプレフィックスは、ルータアドバタイズ（ＲＡ）を通してユーザに供給されるかもしれない。ユーザのＩＰスタックは、重複アドレス検出（ＤＡＤ）を実行するかもしれない。
【００５０】
同一の加入を有する他のユーザが、彼らのワイヤレス端末を使用して加わっていた場合（例えば、ユーザ２、加入１）、ソフトＡＰは通常のネットワークアドレスおよびポート変換（ＮＡＰＴ）動作を実行するかもしれない。
【００５１】
ＩＰｖ４に対して、ソフトＡＰは、外部ＩＰアドレススペースにおいて使用されていない、新しいローカルＩＰアドレスおよびポート番号を割り当てるかもしれない。言い換えれば、ソフトＡＰは、割り当てられたローカルＩＰアドレスと、ポートプラス外部ＩＰアドレスとの間のマッピングを生成させるかもしれない。ＩＰｖ６に対して、ソフトＡＰは、加入に関係付けられたＩＰｖ６プレフィックスをＲＡを通してユーザに返すかもしれない。ネットワーク側において、すべてのＡＰＮが同一のＰＧＷにルーティングされるかもしれない。しかしながら、請求機能は、課金をし、ＡＰＮごとのレベルで最大データ使用量に制限を強いるかもしれない。
【００５２】
加入Ｗに属しているクライアントが、彼のワイヤレス端末を使用してソフトＡＰに関係付けられる場合、ソフトＡＰは、同一の加入を有する他のユーザが加わっているかをチェックするかもしれない。同一の加入を有する他のユーザが加わっていない場合、ソフトＡＰは、加入Ｗに対応するプロフィールを有する、ＰＤＮ接続要求を発生させるためのソケットコールを実行するかもしれない。
【００５３】
図５において示している例では、ユーザ１は、加入者グループ１のうちの加わる最初のものである。したがって、（１）において、加入者グループ１に対するプロフィールを有するソケットコールが行われて、（２）において、加入者グループ１に関係付けられているＡＰＮ１のためのＰＤＮ接続要求が発生される。同様に、ユーザ３は、加入者グループ２のうちの加わる最初のものであり、したがって、（３）において、加入者グループ２に対するプロフィールを有するソケットコールが行われて、（４）において、加入者グループ２に関係付けられているＡＰＮ２のためのＰＤＮ接続要求が発生される。一方、ユーザ２が加わるとき、ソフトＡＰは、同一のグループからのユーザ１が既に加わっていると決定する。したがって、（５）において示しているように、ソケットコールは行われない。このアプローチによって、（６）において示しているように、パケットが到着するＡＰＮに基づいて、ネットワークオペレータは請求することが可能になる。
【００５４】
返された、ＩＰｖ４アドレスおよびＩＰｖ６プレフィックス／ＩＩＤは、記憶され、プロフィール／加入に関係付けられるかもしれない。返されたＩＰｖ４アドレスは、ネットワークアドレス変換（ＮＡＴ）によって、グローバルアドレスとして使用されるかもしれない。ユーザにはローカルＩＰアドレスが割り当てられるかもしれず、加入に関係付けられている、ポートおよび外部ＩＰアドレスに、このローカルＩＰアドレスをリンクさせるＮＡＴバインドが生成されるかもしれない。返されたプレフィックスは、ルータアドバタイズ（ＲＡ）を通してユーザに供給されるかもしれない。ユーザのＩＰスタックは、重複アドレス検出（ＤＡＤ）を実行するかもしれない。
【００５５】
ある態様に関して、ＷＷＡＮ接続を確立することは一般的に、各加入者グループに対するパケットデータネットワーク（ＰＤＮ）レベル認証の間、異なる認証パラメータを使用することを含んでいる。
【００５６】
図６は、本開示のある態様にしたがった、同一のＡＰＮに対して複数のＰＤＮ接続を使用することによって、異なる加入者グループに対するＷＷＡＮ接続を確立するための例示的な技術を図示している。したがって、同一のＡＰＮに対する複数のＰＤＮ接続に基づいて、異なる加入からのトラフィックは区分されるかもしれない。同一のＡＰＮに対する複数のＰＤＮ接続を可能にする、ＭＵＰＳＡＰとして知られているＲｅｌ−９機能をＵＥおよびネットワークがサポートしている場合に、この機能が利用されるかもしれない。ソフトＡＰの観点からは、手順は上述したものと類似している。例えば、ソフトＡＰは、所定の加入に対してどのアプリケーションプロフィールを使用するかを特定するマッピングテーブルを有しているかもしれない。加入Ｘに属しているユーザが、彼のワイヤレス端末を使用してソフトＡＰに関係付けられるとき、ソフトＡＰは、同一の加入からの他のユーザがＡＰに関係付けられているかを決定するかもしれない。同一の加入からの他のユーザがＡＰに関係付けられている場合（例えば、ユーザ２、加入１）、ソフトＡＰはマッピングされている新しいローカルＩＰアドレスを割り当てるかもしれない。しかしながら、同一の加入を有する他のユーザが、彼らのワイヤレス端末を使用して加わっていなかった場合（例えば、ユーザ３、加入２）、ソフトＡＰは、正しいユーザプロフィールを有する新しいソケットコールをＷＷＡＮモデムに発するかもしれない。
【００５７】
上述したアプローチ（すなわち、複数のＡＰＮネームおよびＭＵＰＳＡＰ）に関して、異なるアプリケーションプロフィールのコンテンツの点で、アプローチは異なっているかもしれない。複数のＡＰＮネームに対しては、図５において示したように、プロフィールは、異なるＡＰＮネームを有しているかもしれない。ＭＵＰＳＡＰに対しては、プロフィールは同一のＡＰＮネームを有しているかもしれないが、ＰＤＮレベル認証を使用する必要があることを条件とするかもしれない。ネットワークは、ＰＤＮレベル認証の間に使用されている認証パラメータに基づいて、特定のＰＤＮ接続が加入Ｘに対して確立されていることを識別するかもしれない。ＷＷＡＮ  ＵＥおよびネットワークがＭＵＰＳＡＰをサポートしているかもしれないので、図６に示しているように、同一のＡＰＮに対して複数のＰＤＮ接続が確立されるかもしれない。それゆえ、異なるプロフィールを有する新しいソケットコールをソフトＡＰがコールするとき、同一のＡＰＮに接続するためにＭＵＰＳＡＰが使用されるかもしれない。ＰＤＮ接続が確立されるとき、請求機能は、ＰＤＮレベル認証の間にどの認証パラメータが使用されたかに基づいて、正しい加入に請求するかもしれない。
【００５８】
図６において示している例では、ユーザ１は再度、加入者グループ１のうちの加わる最初のものであり、したがって、（１）において、加入者グループ１に対するプロフィールを有するソケットコールが行われて、（２）において、加入者グループ１に関係付けられているＡＰＮ１のためのＰＤＮ接続要求が発生される。この例において、加入者グループ１に対するプロフィール中の認証パラメータを使用して、ＰＤＮレベル認証が実行される。同様に、ユーザ３は、加入者グループ２のうちの加わる最初のものであり、したがって、（３）において、加入者グループ２に対するプロフィールを有するソケットコールが行われて、（４）において、加入者グループ２に関係付けられているＡＰＮ２のためのＰＤＮ接続要求が発生される。このケースにおいて、加入者グループ２に対するプロフィール中の認証パラメータを使用して、ＰＤＮレベル認証が実行される。再度説明すると、ユーザ２が加わるとき、ソフトＡＰは同一のグループからのユーザ１が既に加わっていると決定する。したがって、（５）で示しているように、ソケットコールは行われない。このアプローチにより、（６）に示しているように、ネットワークオペレータは、認証パラメータに基づいて、ＰＤＮ接続ＩＤを対応する加入グループに関係付けて、パケットが到着するＰＤＮ接続ＩＤに基づいて請求をすることが可能になる。
【００５９】
ある態様に関して、ＷＷＡＮ接続を確立することは一般的に、各加入者グループに対する異なる区分サービスコードポイント（ＤＳＣＰ）マーキングにより、インターネットプロトコル（ＩＰ）パケットをマーキングすることを含んでいる。
【００６０】
図７は、本開示のある態様にしたがった、ＩＰパケット中で使用されるＤＳＣＰマーキングに基づいて、異なる加入者グループに対するＷＷＡＮ接続を確立する例示的な動作を図示している。したがって、異なる加入からのトラフィックは、ＩＰパケット中で使用されるＤＳＣＰマーキングに基づいて、区分されるかもしれない。異なる加入を有するユーザは、異なる事前共有鍵を通してＷＬＡＮレベルにおいて区分されてもよい。ある態様に関して、加入とＤＳＣＰコードとの間の、事前にアレンジされているマッピングが存在するかもしれない。これは、ネットワークとソフトＡＰクライアントとの間で知られているかもしれない。
【００６１】
加入Ｘに属しているユーザが、彼らのワイヤレス端末を使用してソフトＡＰに関係付けられるとき、ＵＥに割り当てられたローカルＩＰｖ４アドレスと、外部パケット中で使用されるポート番号との間のＮＡＴバインドは、加入に対応するＤＳＣＰコードを含むようにエンハンスされるかもしれない。
【００６２】
図７において示しているように、割り当てられたＤＳＣＰコードとローカルＩＰｖ４アドレスとの間のマッピングがソフトＡＰ３１０によって維持されていることを、第１のマーキングテーブルは示しているかもしれない。（１ａ）−（１ｃ）において示しているように、ＩＰｖ４通信に対して、加入グループ１中のユーザ（ユーザ１およびユーザ２）にはアドレスＩＰｖ４  １およびアドレスＩＰｖ４  ２が割り当てられているかもしれない一方で、加入グループ２中のユーザ（ユーザ３）にはアドレスＩＰｖ４  ３が割り当てられている。同様に、ＩＰｖ６通信に対して、加入グループ１中のユーザにはＩＩＤ１またはＩＩＤ２が割り当てられているかもしれない一方で、加入グループ２中のユーザ（ユーザ３）にはＩＩＤ３が割り当てられている。
【００６３】
（４）において示しているように、ローカルＩＰアドレスからのすべての送出パケットは、（２）および（３）で示しているように、それらがＮＡＴを通過するときに、対応するＤＳＣＰコードによりマーキングされるかもしれない。ユーザがＩＰｖ６に対してＤＡＤを実行するとき、マッピングは、ＩＰｖ６アドレスと、加入に対応するＤＳＣＰコードとの間で関係付けられるかもしれない。対応するＤＳＣＰコードを含むように送出ＩＰｖ６パケットを修正する必要があるかもしれない。
【００６４】
示しているように、ネットワーク３３０では、請求はこのＤＳＣＰマーキングに基づいていてもよい。このことを遂行するために、ネットワークにおける請求機能は、請求の間、ＵＬパケット中のＤＳＣＰコードに対処する必要があるかもしれない。正しくＤＬパケットの請求をするために、あるＤＳＣＰコードを有するＵＬパケットに請求機能が遭遇するとき、請求機能は以下のマッピングを生成させるかもしれない。
【００６５】
＜ＤＳＣＰ−コード、ＵＬパケット中の発信元ＩＰアドレス、ＵＬパケット中の発信元ポート、ＵＬパケット中の宛先ＩＰアドレス、ＵＬパケット中の宛先ポート＞●
その後、ＩＰｖ６に対して、請求機能は、マッピングテーブル中の発信元ＩＰアドレスに等しい宛先ＩＰを有して到着するＤＬパケットの請求をするかもしれない。ＩＰｖ４に対して、請求機能は、マッピングテーブル中の発信元ポートに等しい宛先ポートや、マッピングテーブル中の宛先ＩＰアドレスに等しい発信元ＩＰや、マッピングテーブル中の宛先ポートに等しい発信元ポートを有して到着するＤＬパケットの請求をするかもしれない。
【００６６】
ある態様にしたがうと、ネットワーク請求は、パケットが到着する専用ベアラに基づいていてもよい。
【００６７】
図８は、本開示のある態様にしたがった、各加入者グループからのトラフィックを異なる専用ベアラにマッピングすることに基づいて、異なる加入者グループに対するＷＷＡＮ接続を確立する例示的な動作を図示している。このアプローチでは、（１）において、ソフトＡＰがインターネットに接続するときに、ネットワークがいくつかの専用ベアラを確立するかもしれない。専用ベアラは、発信元ポートレンジフィールドを通して識別されるかもしれない。（２）において、トラフィックが特定の加入者グループから到着するとき、ソフトＡＰは、（ＩＰｖ４に対する）ポートレンジマッピングまたは（ＩＰｖ６に対する）ＩＩＤレンジマッピングに基づいて、トラフィックを専用ベアラにマッピングする。結果として、（３）において、ネットワーク３３０では、請求は、パケットが到着する専用ベアラに基づいていてもよい。
【００６８】
異なる加入からのトラフィックを異なる専用ベアラにマッピングするために、ネットワークが専用ベアラと加入との間のマッピングを知るためのメカニズムが要求されるかもしれない。これは、ＩＰｖ４トラフィックについては、図８中のポートレンジ対加入マッピングにおいて示しているように、ポートレンジと加入との間の事前にアレンジされているマッピングによって達成されるかもしれない。例えば、（１）において、ＷＷＡＮソフトＡＰがインターネットＰＤＮに接続するときに、ネットワークはいくつかの専用ベアラを確立するかもしれない。ある態様に関して、専用ベアラは発信元ポートレンジフィールドを通して識別されるかもしれない。加入ＸからのトラフィックがソフトＡＰに到着するとき、ＮＡＰＴにより選択される外部ポートは、加入Ｘに割り当てられているポートレンジに属しているかもしれない。したがって、このトラフィックは適切な専用ベアラを介してルーティングされるかもしれない。ネットワークにおける課金機能は、パケットが到着する専用ベアラを使用して、各ファミリーに異なって課金するかもしれない。
【００６９】
ＩＰｖ６トラフィックについては、図８中のＩＩＤレンジ対加入マッピングにおいて示しているように、ＩＩＤレンジと加入との間の事前にアレンジされているマッピングが要求されるかもしれない。例えば、ＷＷＡＮソフトＡＰがインターネットＰＤＮに接続するときに、ネットワークはいくつかの専用ベアラを確立するかもしれない。専用ベアラは、発信元ＩＰフィールド中（例えば、Ｒｅｌ−１０中）のＩＩＤ値を通して識別されるかもしれない。加入ＸからのユーザがソフトＡＰに関係付けられるとき、ＩＰｖ６アドレスは、加入Ｘに関係付けられているレンジ中のＩＩＤを有するように強いられるかもしれない。ソフトＡＰソリューションがＤＡＤを使用して、ＩＩＤレンジを強いるかもしれない。言い換えると、加入ＸからのユーザがＤＡＤを実行するとき、選ばれたＩＩＤがレンジに属していない限り、ＤＡＤは失敗するかもしれない。加入ＸからのトラフィックがソフトＡＰに到着するとき、トラフィックは、パケット中のＩＩＤのために、適切な専用ベアラを介してルーティングされるかもしれない。ネットワークにおける課金機能は、パケットが到着する専用ベアラを使用して、ある加入を別の加入と識別するかもしれない。
【００７０】
情報および信号は、さまざまな異なる技術および技法のうちの任意のものを使用して表されてもよいことを当業者は理解するであろう。例えば、上記の説明にわたって参照されているデータ、命令、コマンド、情報、信号、ビット、シンボル、およびチップは、電圧、電流、電磁波、磁界または粒子、光界または粒子、または、これらの任意の組み合わせにより表されてもよい。
【００７１】
本開示と関連して記述したさまざまな例示的な論理ブロック、モジュール、回路、およびアルゴリズムステップは、電子ハードウェア、コンピュータソフトウェア、または両方を組み合わせたものとして実現してもよいことを当業者はさらに認識するであろう。ハードウェアおよびソフトウェアのこの交換可能性を明確に図示するために、さまざまな例示的なコンポーネント、ブロック、モジュール、回路、およびステップを概してこれらの機能性に関して上述した。そのような機能性がハードウェアとして、またはソフトウェアとして実現されるか否かは、特定の応用、および、システム全体に課せられた設計の制約に依存する。当業者は、それぞれの特定の応用に対して変化する方法で、説明した機能性を実現してもよいが、そのような実現の決定は、本開示の範囲からの逸脱を生じさせるものとして解釈すべきではない。
【００７２】
本開示と関連して記述したさまざまな例示的な論理ブロック、モジュールおよび回路は、汎用プロセッサ、デジタル信号プロセッサ（ＤＳＰ）、特定用途向け集積回路（ＡＳＩＣ）、現場プログラム可能ゲートアレイ（ＦＰＧＡ）または他のプログラム可能論理デバイス、ディスクリートゲートまたはトランジスタ論理、ディスクリートハードウェアコンポーネント、あるいは、ここに記述した機能を実行するように設計されているこれらの任意の組み合わせたものにより、実現または実行されてもよい。汎用プロセッサはマイクロプロセッサであってもよいが、代替実施形態では、プロセッサは、任意の従来のプロセッサ、制御装置、マイクロ制御装置または状態機械であってもよい。プロセッサはまた、例えば、ＤＳＰおよびマイクロプロセッサを組み合わせたものや、複数のマイクロプロセッサや、ＤＳＰコアを伴う１つ以上のマイクロプロセッサや、または他の任意のこのような構成のような、コンピューティングデバイスを組み合わせたものとして実現されてもよい。
【００７３】
本開示に関連して記述した方法またはアルゴリズムのステップは、ハードウェアで、プロセッサにより実行されるソフトウェアモジュールで、または、その２つを組み合わせたもので直接的に具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、技術的に知られている他の任意の形態の記憶媒体に存在していてもよい。例示的な記憶媒体は、プロセッサが記憶媒体から情報を読み取り、記憶媒体に情報を書き込むことができるようにプロセッサに結合されている。代替実施形態では、記憶媒体はプロセッサと一体化されてもよい。プロセッサおよび記憶媒体は、ＡＳＩＣに存在していてもよい。ＡＳＩＣはユーザ端末に存在していてもよい。代替実施形態では、プロセッサおよび記憶媒体は、ディスクリートコンポーネントとしてユーザ端末に存在していてもよい。一般的に、図面中に図示している動作がある場合、それらの動作は、類似したナンバリングを有する、対応するミーンズプラスファンクションコンポーネントを有していてもよい。
【００７４】
１つ以上の例示的な設計において、記述した機能は、ハードウェアで、ソフトウェアで、ファームウェアで、または、これらのものの任意の組み合わせで実現してもよい。ソフトウェアで実現された場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、コンピュータ記憶媒体と、１つの場所から別の場所へのコンピュータプログラムの転送を促進する何らかの媒体を含む通信媒体との両方を含む。記憶媒体は、汎用または特殊目的のコンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用もしくは特殊目的のコンピュータ、または、汎用もしくは特殊目的のプロセッサによりアクセスでき、命令またはデータ構造の形態で所望のプログラムコード手段を伝送または記憶するために使用できる他の何らかの媒体を含むことができる。また、あらゆる接続は、コンピュータ読取可能媒体と適切に呼ばれる。例えば、ソフトウェアが、同軸ケーブルや、光ファイバケーブルや、撚り対や、デジタル加入者線（ＤＳＬ）や、あるいは、赤外線、無線、マイクロ波のような、ワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のような、ワイヤレス技術は、媒体の定義に含まれる。ここで使用したようなディスク（ｄｉｓｋ）およびディスク（ｄｉｓｃ）は、コンパクトディスク（ＣＤ）、レーザディスク、光ディスク、デジタル汎用ディスク（ＤＶＤ）、フロッピーディスク、およびブルーレイディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【００７５】
本発明のこれまでの記述は、当業者が本発明を製作または使用できるように提供した。本発明に対するさまざま改良は当業者に容易に明らかとなり、ここに定義された一般的な原理は、本発明の精神または範囲を逸脱することなく、他のバリエーションに適用してもよい。したがって、本発明はここに記述された例および設計に限定されることを意図しているものではなく、ここで開示されている原理および新しい特徴と一致した最も広い範囲に一致させるべきである。
【図１】
2015511785.tif 000003
【図２】
2015511785.tif 000004
【図３】
2015511785.tif 000005
【図４】
2015511785.tif 000006
【図５】
2015511785.tif 000007
【図６】
2015511785.tif 000008
【図７】
2015511785.tif 000009
【図８】
2015511785.tif 000010
【国際調査報告】
2015511785.tif 000011
2015511785.tif 000012
2015511785.tif 000013